(57)【要約】【課題】収納された食器の量を正確に判定し、食器の量に応じて洗浄動作を最適にする。【解決手段】洗浄槽１２の開口部１２ａの上部側面に、放射式物体検知手段３０を設置する。この放射式物体検知手段３０は光電センサや超音波センサ等の非接触式能動型センサから成っており、洗浄槽１２に食器を投入した時は食器や手からの反射波を検知することができ、食器が収納されたことがわかるようになっている。この洗浄槽１２に入れる食器検知のシーケンスを繰り返すことによって、最終的に洗浄槽１２に収納された食器の総数をカウントすることができる。これら収納された食器の総数の情報を食器洗い機の各工程を制御する制御手段２２に送信する。送信された食器量情報をもとに、最適な洗浄動作を行うことができる。【選択図】図１
2008119152.tif 000002
【特許請求の範囲】
【請求項１】
食器等の被洗浄物を出し入れする開口部を有する洗浄槽と、前記洗浄槽内に被洗浄物を収納する食器カゴと、洗浄・すすぎの工程を制御する制御手段と、前記洗浄槽に収納する被洗浄物を検知する放射式物体検知手段とを備え、前記放射式物体検知手段は、前記開口部が収納する被洗浄物で遮られたことを検知し、前記制御手段は、前記放射式物体検知手段の出力信号をもとに洗浄・すすぎの工程を制御するようにした食器洗い機。
【請求項２】
放射式物体検知手段は、光電センサや超音波センサ等の非接触式能動型センサであることを特徴とする請求項１記載の食器洗い機。
【請求項３】
放射式物体検知手段は、開口部からの距離が異なる位置に複数個設置されていることを特徴とする請求項１または２記載の食器洗い機。
【請求項４】
放射式物体検知手段は、洗浄槽の外に設置されていることを特徴とする請求項１または２記載の食器洗い機。
【請求項５】
開口部を開閉する蓋部を設け、放射式物体検知手段は前記蓋部に設置されていることを特徴とする請求項１または２記載の食器洗い機。
【請求項６】
放射式物体検知手段は、検知領域が収納された食器より上方で構成されることを特徴とする請求項３記載の食器洗い機。
【請求項７】
放射式物体検知手段は、複数の検知領域が水平方向に交差した構成となっていることを特徴とする請求項３記載の食器洗い機。
【請求項８】
放射式物体検知手段からの検知信号をもとに洗浄槽に収納された食器の数量を判定する判定手段を備えた請求項１記載の食器洗い機。
【請求項９】
判定手段は、放射式物体検知手段により検知された信号の時間間隔を計測し、所定時間以上検知された時に食器の数量をカウントすることを特徴とする請求項８記載の食器洗い機。
【請求項１０】
判定手段は、複数の放射式物体検知手段から同時に出力された信号は１つとして扱うことを特徴とする請求項８または９記載の食器洗い機。
【発明の詳細な説明】
【技術分野】
【０００１】
本発明は、洗浄槽内に収納した食器類を洗浄する食器洗い機に関するものである。
【背景技術】
【０００２】
従来の食器洗い機において、洗浄槽に収納された食器の量などの状態に最も適した洗浄動作を行うために、洗浄槽に収納する食器を検知することが種々提案されている。
【０００３】
１つには光センサを用いて食器を検知しようというものがある。例えば、食器洗い機の洗浄槽の左右側壁面に、食器の有無を測定する光センサからなる食器検出手段が設けられているものがある（例えば、特許文献１参照）。この検出手段は光センサとして、赤外線センサ、側距センサ、フォトインタラプタ等の物体有無を検出するものからなっている。また、これらのセンサを用いて高さ方向に２段の食器検出手段を設け、食器の有無だけでなく、収納食器の高さ方向、すなわち大きさも検出可能となっている。
【０００４】
このようにして、光センサを洗浄槽の下方に設置して収納した食器にあてることによって、収納された食器の量などを検知し、それらの状態に最も適した洗浄動作を行うことができるというものである。
【特許文献１】特開２００２−２８２１９６号公報
【発明の開示】
【発明が解決しようとする課題】
【０００５】
しかしながら、前記従来の構成では、光センサが食器カゴの下方に設置されており、食器を収納すると、光センサは常にこの収納した食器にあたる構成になっているので、この食器以外にさらに追加して収納された食器はセンサに検知されないことがあるという課題がある。すなわち、食器の有無はある程度わかるが、厳密な意味での食器の量はわからないという課題がある。
【０００６】
また、複数のセンサを用いて収納した食器の量を検知することもできるが、複数のセンサを用いるためコストが高くなったり、設置面積が大きくなったりするという欠点があり、また上記と同じように、すでに収納された食器の近傍に新たな食器を収納する時、その食器を検知できないことがあるため食器量の検知精度も十分良くないという課題もある。
【０００７】
本発明は、以上のような従来の食器洗い機が有している課題を解決するもので、食器を洗浄槽に収納する時に食器の量を正確に検知し、食器の量に応じた最適な条件で洗浄できる食器洗い機を提供することを目的としているものである。
【課題を解決するための手段】
【０００８】
前記従来の課題を解決するために、本発明の食器洗い機は、食器等の被洗浄物を出し入れする開口部を有する洗浄槽と、前記洗浄槽内に被洗浄物を収納する食器カゴと、洗浄・すすぎの工程を制御する制御手段と、前記洗浄槽に収納する被洗浄物を検知する放射式物体検知手段とを備え、前記放射式物体検知手段は、前記開口部が収納する被洗浄物で遮られたことを検知し、前記制御手段は、前記放射式物体検知手段の出力信号をもとに洗浄・すすぎの工程を制御するようにしたものである。
【０００９】
これによって、食器を洗浄槽へ収納する時に検知し、収納した後は検知されないようにすることによって、収納された食器の量を正確に検知することができ、この検知した食器量をもとに食器洗い機の運転制御において最適な条件を設定することができ、食器洗浄に対する利便性、正確性、信頼性を高めるようにしたものである。
【発明の効果】
【００１０】
本発明の食器洗い機は、洗浄槽に収納された食器の量を正確に検知することができ、最適な条件で洗浄することができる。
【発明を実施するための最良の形態】
【００１１】
第１の発明は、食器等の被洗浄物を出し入れする開口部を有する洗浄槽と、前記洗浄槽内に被洗浄物を収納する食器カゴと、洗浄・すすぎの工程を制御する制御手段と、前記洗浄槽に収納する被洗浄物を検知する放射式物体検知手段とを備え、前記放射式物体検知手段は、前記開口部が収納する被洗浄物で遮られたことを検知し、前記制御手段は、前記放射式物体検知手段の出力信号をもとに洗浄・すすぎの工程を制御するようにしたことにより、食器洗い機の基本動作である洗浄・すすぎ工程時の各条件である時間、洗剤量、水量、モータの駆動等をその食器量にあった、最適状態にすることができ、食器洗い機の省エネ性、信頼性を確実に向上させることができるものである。
【００１２】
第２の発明は、特に、第１の発明の放射式物体検知手段は、光電センサや超音波センサ等の非接触式能動型センサであることにより、洗浄槽に食器を収納する時に検知することによって、食器洗い機の利便性、正確性、信頼性を確実に向上させることができるものである。
【００１３】
第３の発明は、特に、第１または第２の発明の放射式物体検知手段は、開口部からの距離が異なる位置に複数個設置されていることにより、食器の収納を精度よく検知することができ、食器洗い機の利便性、正確性、信頼性を確実に向上させることができるものである。
【００１４】
第４の発明は、特に、第１または第２の発明の放射式物体検知手段は、洗浄槽の外に設置されていることにより、食器洗い機の利便性、正確性、信頼性を確実に向上させることができるものである。
【００１５】
第５の発明は、特に、第１または第２の発明の開口部を開閉する蓋部を設け、放射式物体検知手段は前記蓋部に設置されていることにより、蓋部を開くことにより開かれた開口部から洗浄槽に食器を収納する時に検知することができ、食器洗い機の利便性、正確性、信頼性を確実に向上させることができるものである。
【００１６】
第６の発明は、特に、第３の発明の放射式物体検知手段は、検知領域が収納された食器より上方で構成したことにより、食器を収納する時に検知し、収納した後は検知されないようにでき、さらに食器を入れたか出したかをより容易に検知することができるようにすることによって、食器洗い機の基本動作である洗浄・すすぎ工程時の各条件である時間、洗剤量、水量、モータの駆動等を最適状態にすることができ、食器洗い機の省エネ性、信頼性を確実に向上させることができるものである。
【００１７】
第７の発明は、特に、第３の発明の放射式物体検知手段は、複数の検知領域が水平方向に交差した構成としたことにより、センサによる検知領域を広げることができ、食器洗い機の利便性、正確性、信頼性を確実に向上させることができるものである。
【００１８】
第８の発明は、特に、第１の発明の放射式物体検知手段からの検知信号をもとに洗浄槽に収納された食器の数量を判定する判定手段を備えたことにより、収納された食器の量を正確にカウントすることができ、食器洗い機の利便性、正確性、信頼性を確実に向上させることができるとともに、食器量にあわせて食器洗い機の基本動作である洗浄・すすぎ工程時の各条件である時間、洗剤量、水量、モータの駆動等を最適状態にすることができ、食器洗い機の省エネ性、信頼性を確実に向上させることができるものである。
【００１９】
第９の発明は、特に、第８の発明の判定手段は、放射式物体検知手段により検知された信号の時間間隔を計測し、所定時間以上検知された時に食器の数量をカウントすることにより、食器を収納する時に食器の数量を正確に検知することによって、収納された食器の量を正確にカウントすることができ、食器洗い機の利便性、正確性、信頼性を確実に向上させることができるものである。
【００２０】
第１０の発明は、第８または第９の発明の判定手段は、複数の放射式物体検知手段から同時に出力された信号は１つとして扱うことにより、センサを複数個設置して、食器を収納する時に食器の数量を正確に検知することによって、収納された食器の量を正確にカウントすることができ、食器洗い機の利便性、正確性、信頼性を確実に向上させることができるものである。
【００２１】
また、食器洗い機の運転方法の、収容している食器を検知する検知工程、及び、前記検知工程の後の食器量を判定する判定工程と、前記判定結果をフィードバックさせて前記食器洗い機を制御する洗浄・すすぎ工程とを少なくとも一部をコンピュータに実行させるためのプログラムを提供するものである。
【００２２】
そして、プログラムであるので、電気・情報機器、コンピュータ、サーバ等のハードリソースを協働させて本発明の食器洗い機の運転方法の少なくとも一部を容易に実現することができる。また記録媒体に記録したり通信回線を用いてプログラムを配信したりすることでプログラムの配布・更新やそのインストール作業が簡単にできる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における食器洗い機を、前後方向に沿った鉛直面で切断したときの断面を右側から見た時の概略構成模式図を示すものである。また、図２は本実施の形態で用いる食器洗い機を、前後方向に沿った水平面で切断したときの断面を上面側から見た時の概略構成模式図を示すものである。以下に本実施の形態における構成を説明する。
【００２５】
図１において、１３は被洗浄物である食器１４等を収納する食器カゴ、１２は食器カゴ１３を収納する洗浄槽、１５は洗浄ポンプ１７によって加圧された洗浄水を食器１４等に噴射するための洗浄ノズルを示している。また、３０は物体を検知することができる放射式物体検知手段、２１はこれら物体検知手段であるセンサからの信号を処理する判定手段、２２は食器洗い機の洗浄・すすぎ・乾燥の各工程を制御するための制御手段を示している。
【００２６】
洗浄槽１２内の下部には、洗浄手段を構成する洗浄ノズル１５が配設されている。この洗浄ノズル１５は、洗浄槽１２の下方に配設された洗浄ポンプ１７により加圧された洗浄水を上方に向けて噴射する構成となっている。洗浄槽１２内の底部には、洗浄ノズル１５の下方に位置させて加熱手段２０としてのヒータが配設されている。ヒータは、印加電圧により発熱量を制御可能なものを用いる。洗浄槽１２内において、洗浄ノズル１５の上方に位置させて、食器載置体を構成する食器カゴ１３が出し入れ可能に収容されている。この食器カゴ１３に、被洗浄物である食器類１４が載置されるようになっている。
【００２７】
上記洗浄槽１２の開口部１２ａの上部側面に、図１、２に示すように、放射式物体検知手段３０が設けられている。この放射式物体検知手段３０は光電センサや超音波センサ等の非接触式の能動型センサから成っており、光や超音波・電磁波を発しその反射波を検知することによって物体の存在を検知するものである。センサから発せられた光等は洗浄槽１２の対向位置からの反射は検知しないが、洗浄槽１２に食器を投入する時は食器や手からの反射波を検知することができ、食器が収納されたことがわかるようになっている。
【００２８】
すなわち、この放射式物体検知手段３０は、食器カゴ１３に載置するために洗浄槽１２に投入される食器類１４を検出するためのものであり、洗浄槽１２の開閉部１１側の前部に等間隔に複数個、図２の場合は２個配置されている。一方のセンサは、洗浄槽１２の左右方向の中央部より左寄りに配置され、他方のセンサは、洗浄槽１２の左右方向の中央部より右寄りに配置されている。
【００２９】
この時の光電センサ等から成る放射式物体検知手段３０の検知領域４０を、食器洗い機の上面側から見た時の模式図を図３に示す。このようなセンサの設置位置、検知領域を構成することによって、食器カゴ１３に載置するために洗浄槽１２に投入された食器類１４を容易に正確に検出することができる。しかも、このセンサの設置位置は洗浄槽１２の開口部であり、センサの検知領域４０が収納された食器類１４より上方で構成されているので、収納済みの食器は検知されず、洗浄槽１２に投入されている食器類１４のみを検知することができるので、食器投入検知に対する誤検知を防止することができる。
【００３０】
すなわち、光電センサ等から成る放射式物体検知手段３０を洗浄槽１２の開口部上部に等間隔に複数個設置し、そのセンサの検知領域４０が収納された食器類１４に当たらないように上方に構成されることによって、食器類１４を洗浄槽１２に投入する時に食器類や手が洗浄槽１２の開口部を遮り、その反射波をセンサが検知することができるので、容易に正確に投入された食器類を検知することができる。
【００３１】
なお、センサの設置位置としては洗浄槽１２に投入する時の手や食器を検知することができるところであれば洗浄槽１２の開口部のいずれでもよく、また光電センサや超音波センサ以外の非接触式の能動型センサでもよい。
【００３２】
このようにして検知した食器量を食器洗い機の洗浄・すすぎ・乾燥の各工程を制御する制御手段２２に送信し、食器量にあった工程制御を行う。すなわち、食器量の多少によって、洗浄およびすすぎ時に駆動するモータの駆動や、洗浄およびすすぎ時に使用する水量、または洗浄時に使用する洗剤量、または洗浄・すすぎ・乾燥の時間を制御することができるものである。
【００３３】
制御手段２２は、放射式物体検知手段３０において検出した結果に基づいて、食器洗い機の洗浄・すすぎ・乾燥の運転を制御する。具体的には、放射式物体検知手段３０において検出した結果が、食器量が少ないと判定した場合は、洗浄時に使用する洗剤の量を少なくして、洗浄・すすぎ時に使用する水量も少なくして、洗浄時に動作するモータの駆動を弱めにして、洗浄・すすぎ・乾燥時間が短くなるような設定にする。放射式物体検知手段３０において検出した結果が、食器量が多いと判定した場合には、洗浄時に使用する洗剤の量を多めにして、洗浄・すすぎ時に使用する水量も多くして、洗浄時に動作するモータの駆動を強めにして、洗浄・すすぎ・乾燥時間が長くなるような設定にする。すなわち、洗浄槽１２に収納された食器量にあった食器洗い機の工程制御を自動的に行うことができる。
【００３４】
上記した実施例によれば、洗浄槽１２の開口部に設置した放射式物体検知手段３０により、収納された食器類１４の量を検出し、この検出結果に基づき食器洗い機の各工程制御を行う構成としたので、食器量にあった自動制御運転を行うことが可能となり、余分なエネルギーを節約することが可能となり、省エネも実現することができる。よって、洗浄槽１２の食器類１４の収納量に応じて洗浄・すすぎ・乾燥の各工程の運転を効率よく行うことができる。
【００３５】
なお、上記した実施例においては、放射式物体検知手段３０を２個使用した例を示したが、投入する食器類をある程度正確に検出することができれば１個でも良く、それに基づき工程制御を行うことも可能であり、また放射式物体検知手段３０の検知領域を広げてもよい。
【００３６】
また本発明の構成は、洗浄運転開始後に新たな食器類を追加するような場合にも有効である。すなわち、運転が開始された直後に入れ忘れた食器１４があり、それを新たに洗浄槽１２に入れた場合、放射式物体検知手段３０によって検知することができ、食器量が増加したと判断され、その結果を食器洗い機の制御手段２２に送信することによって、洗浄・すすぎ・乾燥工程の時間を今までよりも長めにしたり、洗剤を少し多めにしたり、洗浄・すすぎ時に使用する水量を多めに設定しなおすことができる。
【００３７】
つまり、使用者が使うたび毎に、投入した食器量に応じて洗浄・すすぎ・乾燥工程の設定値を自動的に変更することができるので、確実な洗浄・すすぎ・乾燥ができるとともに、使用者にとって満足感の高い、食器量にあった最適時間かつ省エネを実現できる食器洗い機を提供することができる。
【００３８】
本発明は、開口部１２ａを洗浄槽１２の上面に形成し、洗浄槽１２を手前に引き出して洗浄槽１２への食器の出し入れを行うビルトイン型の食器洗い機のほか、卓上型のコンパクト食器洗い機でもよく、また、乾燥手段がある食器洗い乾燥機にも適用できる。
【００３９】
以上のような構成とすることにより、本発明の実施の形態によれば、物体を検知することができる放射式能動型センサからなる物体検知手段を洗浄槽の開口部に設置して、食器を収納する時に開口部が遮られたことを検知することによって食器量を判定し、食器洗い機の基本動作である洗浄・すすぎ各工程時の条件である時間、洗剤量、水量、モータの駆動等をその食器量にあった、最適状態にすることができ、食器洗い機の省エネ性、利便性、信頼性を確実に向上させることができるものである。
【００４０】
（実施の形態２）
次に、第２の実施の形態の食器洗い機について図面を参照しながら説明する。以下に本実施の形態における構成を図１と同様に説明する。実施の形態１と同じについては説明を省略する。図４は本実施の形態で用いる食器洗い機を側面側から見た時の物体検知手段の検知領域を示した模式図を示すものである。
【００４１】
上記洗浄槽１２の開口部１２ａの上部側面、洗浄槽１２の外に、図４に示すように、放射式物体検知手段３０が設けられている。この放射式物体検知手段３０は光電センサや超音波センサ等の非接触式の能動型センサから成っており、光や超音波・電磁波を発しその反射波を検知することによって物体の存在を検知するものである。センサから発せられた超音波等は洗浄槽１２の対向位置からの反射は検知しないが、洗浄槽１２に食器を投入する時は食器や手からの反射波を検知することができ、食器が収納されたことがわかるようになっている。
【００４２】
すなわち、この放射式物体検知手段３０は、食器カゴに載置するために洗浄槽１２に投入される食器類を検出することができ、洗浄槽１２の開閉部１１側の前部、洗浄槽１２の外に設置されているものである。このように洗浄槽１２の外に放射式物体検知手段３０を設置することによって、センサが水に濡れることもなく信頼性も向上し、収納する時の食器を正確に検知することができる。
【００４３】
この時の検知領域は、食器洗い機を閉じた時に上部の蓋部が検知されないように少し下を向いた領域となっており、かつ収納した食器に当たらないような領域が望ましい。この放射式物体検知手段３０によって収納時の食器類を検知することができ、このセンサからの出力を食器洗い機の制御手段２２に送信して、洗浄槽１２の食器類の収納量に適した各工程の運転を行うことができ、無駄に洗浄やすすぎ、乾燥等を行うことがないので、過乾燥による食器の傷み等も防ぐことができるとともに、省エネも実現することができ、このような実施の形態２においても、実施の形態１と同様の作用効果を得ることができる。
【００４４】
また、本発明は、洗浄槽１２内に食器カゴが上下２段に設置される場合にも適用できる。この場合、放射式物体検知手段３０の検知領域４０が上段に収納された食器にもあたらないようにする必要がある。このような構成において、洗浄槽１２全体に収納された食器の量を検知することができるので、これら放射式物体検知手段３０のセンサの検出結果に基づき、洗い行程やすすぎ行程において使用する洗剤量や水の噴射圧力を制御したり、洗浄およびすすぎ時に使用する水量、または洗浄・すすぎ・乾燥の時間を制御したりすることも可能である。従って、洗浄槽に収納された食器の量にあった最適時間、最適工程での確実な食器洗浄を実現する食器洗い機を提供できる。
【００４５】
以上のような構成とすることにより、本発明の実施の形態によれば、物体を検知することができる放射式能動型センサからなる物体検知手段を洗浄槽の外の上部側面に設置して、収納された食器にあたらないような検知領域を形成し、食器を収納する時に開口部が遮られたことを正確に検知することによって収納された食器量を判定し、食器洗い機の基本動作である洗浄・すすぎ各工程時の条件である時間、洗剤量、水量、モータの駆動等をその食器量にあった、最適状態にすることができ、食器洗い機の省エネ性、利便性、信頼性を確実に向上させることができるものである。
【００４６】
（実施の形態３）
次に、第３の実施の形態の食器洗い機について図面を参照しながら説明する。図５は、本実施の形態で用いる食器洗い機を前後方向に沿った鉛直面で切断したときの断面を左側から見て物体検知手段の検知領域を示した模式図を示すものである。以下に本実施の形態における構成を説明する。実施の形態１と同じについては説明を省略する。
【００４７】
図５に示すように、洗浄槽１２の前面に開口部を開閉する蓋部２５を設け、この蓋部２５の上部に放射式物体検知手段３０が設けられている。この放射式物体検知手段３０は光電センサや超音波センサ等の非接触式の能動型センサから成っており、光や超音波・電磁波を発しその反射波を検知することによって物体の存在を検知するものである。これらセンサから発せられた赤外線等は下部の蓋部の対向位置からの反射は検知しないが、洗浄槽１２に食器を投入する時は食器や手からの反射波を検知することができ、食器が収納されたことがわかるようになっている。
【００４８】
すなわち、この放射式物体検知手段３０は、食器カゴに載置するために洗浄槽１２に投入される食器類を検出することができ、洗浄槽１２の前面に開口部を開閉する蓋部２５に設置されているものである。このように洗浄槽１２の開閉部の蓋部２５に放射式物体検知手段３０を設置することによって、収納する時の食器を正確に検知することができ信頼性も向上する。
【００４９】
このようなセンサの設置位置、検知領域を構成することによって、食器カゴに載置するために洗浄槽１２に投入される食器類を容易に正確に検出することができる。しかも、このセンサの設置位置は洗浄槽１２の前面の開口部を開閉する蓋部２５であり、センサの検知領域４０が収納された食器類にあたることはないので、収納済みの食器は検知されず、洗浄槽１２に投入されている食器類のみを検知することができるので、食器投入検知に対する誤検知を防止することができる。
【００５０】
すなわち、光電センサ等から成る放射式物体検知手段３０を洗浄槽１２の前面の開口部を開閉する蓋部２５に設置し、そのセンサの検知領域４０が下方向に向いており、収納された食器類に当たらないように構成されることによって、食器類を洗浄槽１２に投入する時に食器類や手が洗浄槽１２の開口部１２ａを遮り、その反射波をセンサが検知することができるので、容易に正確に投入された食器類を検知することができる。
【００５１】
この時の検知領域は、食器洗い機の開口部の蓋部２５を開いた時に、洗浄槽１２にかからないように少し手前に向いた領域となっており、かつ、収納した食器に当たらないような領域が望ましい。この放射式物体検知手段３０によって収納時の食器類を検知することができ、このセンサからの出力を食器洗い機の制御手段２２に送信して、洗浄槽１２の食器類の収納量に適した各工程の運転を行うことができ、無駄に洗浄やすすぎ、乾燥等を行うことがないので、水量や時間を各工程に対して最適に設定することができ、省エネを実現することができる。従って、このような実施の形態３においても、実施の形態１と同様の作用効果を得ることができる。
【００５２】
このように本発明によれば、放射式物体検知手段３０の検知領域４０が洗浄槽の外側に形成されており、的確に開口部を通過する食器類を検知することができる。このような構成において、洗浄槽１２全体に収納された食器の量を検知することができるので、これら放射式物体検知手段３０のセンサの検出結果に基づき、洗い行程やすすぎ行程において使用する洗剤量や水の噴射圧力を制御したり、洗浄およびすすぎ時に使用する水量、または洗浄・すすぎ・乾燥の時間を制御したりすることも可能である。従って、洗浄槽内の食器の量にあった最適条件の制御による省エネや、短時間での確実な食器洗浄を実現する食器洗い機を提供することができる。
【００５３】
以上のような構成とすることにより、本発明の実施の形態によれば、物体を検知することができる放射式能動型センサからなる物体検知手段を洗浄槽の開口部の蓋部に設置して、蓋部を開いた時に検知領域が下方向を向くようにすると、食器を収納する時に開口部が遮られたことを正確に検知することができ収納された食器量を判定し、食器洗い機の基本動作である洗浄・すすぎ各工程時の条件である時間、洗剤量、水量、モータの駆動等をその食器量にあった、最適条件設定にすることができ、食器洗い機の省エネ性、利便性、信頼性を確実に向上させることができるものである。
【００５４】
（実施の形態４）
次に、第４の実施の形態の食器洗い機について説明する。本発明における実施の形態の基本構成に関しては実施の形態１と同様であり、説明は省略するが、特に本発明の構成では、放射式物体検知手段３０として非接触式能動型センサである超音波センサを１個使用している。
【００５５】
また、食器洗い機本体の前面上部には図示はしないが操作パネルが設けられていて、この操作パネルに、操作スイッチや表示部が設けられている。そして、操作パネルの裏側下部には、センサの信号を入力しその信号をもとに処理し判定を行う信号処理判定手段２１と、食器洗浄の洗浄・すすぎ・乾燥の各工程を制御する制御手段２２とからを構成される制御装置が設けられている。この制御装置は、例えばマイクロコンピュータから構成されていて、食器洗い機における洗い・すすぎ運転及び乾燥運転の動作全般を制御する制御プログラムを有している。
【００５６】
図１に示された食器洗い機において、本発明の動作について図面を参照しながら説明する。図６は同実施の形態に係る食器洗い機の処理手順を示すフローチャートを示すものである。以下に本実施の形態におけるフローを説明する。
【００５７】
まず、図１のような食器洗い機において、洗浄槽１２の開口部１２ａの上部側面に、放射式物体検知手段３０が設けられている。この放射式物体検知手段３０から超音波を発しその反射波を検知することによって物体の存在を検知することができる。この食器洗い機の開閉部１１を操作して手前に開くと、被洗浄物である食器類１４を入れるための洗浄槽１２が手前に引き出される（ステップＳ１）。洗浄槽１２を引き出し、この放射式物体検知手段３０の超音波センサから５０Ｈｚ程度の超音波を定常的に放射して、その反射波を常に検知しておく。この超音波センサは洗浄槽１２の対向位置や周囲からの反射波は検知しないが、洗浄槽１２に食器を投入する時の食器や手からの反射波は検知することができる（ステップＳ２）。
【００５８】
この状態で洗浄槽１２の開口部１２ａの上側から食器類１４を入れて食器ガゴ１３に収納する（ステップＳ３）。この時、この放射式物体検知手段３０の超音波センサから発せられた超音波は、食器カゴ１３に載置するために洗浄槽１２に投入されている食器類１４で反射され、この反射波が超音波センサに検知されたかどうか、センサ信号の有無を判定する（ステップＳ４）。この超音波の反射波のセンサ信号が検知されたと判定すると、超音波センサが洗浄槽１２に投入された食器類１４を検知し食器カゴ１３に収納されたと判断する（ステップＳ５）。
【００５９】
この判定結果によって、洗浄槽１２に収納された食器の量のカウント数を１つ増やすことができる（ステップＳ６）。このシーケンスを繰り返すことによって、最終的に洗浄槽１２に収納された食器の総数をカウントすることができる。その後、この食器洗い機の開閉部を奥に入れて洗浄槽１２を閉じる（ステップＳ７）。その後、食器洗い機の運転を開始することができる（ステップＳ８）。
【００６０】
例えば、５０Ｈｚの超音波を発しているセンサを用いて、この超音波センサを洗浄槽の開口部の上部に１個設置して、検知領域を最適化することによって、開口部を物体が遮ると反射波を検知することができ、そのセンサ信号より洗浄槽に収納する食器の数を正確にカウントすることができる。
【００６１】
以上のような構成・手順とすることにより、本発明の実施の形態によれば、物体を検知することができる放射式能動型センサからなる物体検知手段を洗浄槽の開口部に設置して、食器を収納する時に開口部が遮られたことを検知することによって、収納された食器の量を正確にカウント、検知することができ、食器洗い機の正確性、利便性、信頼性を確実に向上させることができるものである。
【００６２】
（実施の形態５）
次に、第５の実施の形態の食器洗い機について説明する。本発明における実施の形態の基本構成に関しては実施の形態１と同様であり、説明は省略するが、特に本発明の構成では、放射式物体検知手段３０として非接触式能動型センサである超音波センサを２個使用している。
【００６３】
図１に示された食器洗い機において、本発明の動作について図面を参照しながら説明する。図７は同実施の形態に係る食器洗い機の処理手順を示すフローチャートを示すものである。以下に本実施の形態におけるフローを説明する。本実施の形態における手順は実施の形態４と同じところは説明を省略する。
【００６４】
まず、図１のような食器洗い機において、洗浄槽１２の開口部１２ａの上部側面に、放射式物体検知手段３０を２個設置している。この放射式物体検知手段３０から超音波を発しその反射波を検知することによって物体の存在を検知することができる。
【００６５】
洗浄槽１２に入れる食器検知のシーケンスを繰り返すことによって、最終的に洗浄槽１２に収納された食器の総数をカウントすることができる。その後、この食器洗い機の開閉部１１を奥に入れ引き出されている洗浄槽１２を閉じる（ステップＳ７）。これら収納された食器の総数の情報を食器洗い機の洗浄・すすぎ・乾燥の各工程を制御する制御手段２２に送信する（ステップＳ１１）。送信された食器量情報をもとに、洗浄時の洗剤量や洗浄・すすぎ時における水量、モータの駆動力、洗浄・すすぎ・乾燥の時間を決定する（ステップＳ１２）。その後、食器洗い機の運転を開始することができる（ステップＳ１３）。
【００６６】
例えば、５０Ｈｚの超音波を発しているセンサを用いて、この超音波センサを洗浄槽１２の開口部１２ａの上部に２個設置して、検知領域を最適化することによって、開口部１２ａを物体が遮ると反射波を検知することができ、そのセンサ信号より洗浄槽１２に収納する食器の数を正確にカウントすることができる。また、この超音波センサにおいて検出した結果が、食器量が２０個程度と少ないと判定した場合は、洗浄時に使用する洗剤の量を普通より少なくして、洗浄・すすぎ時に使用する水量も普通より少なくして、洗浄時に動作するモータの駆動を弱めにして、洗浄・すすぎ・乾燥時間が短くなるような設定にする。
【００６７】
超音波センサにおいて検出した結果が、食器量が４０個程度で多いと判定した場合には、洗浄時に使用する洗剤の量を普通より多めにして、洗浄・すすぎ時に使用する水量も多くして、洗浄時に動作するモータの駆動を強めにして、洗浄・すすぎ・乾燥時間が長くなるような設定にする。すなわち、洗浄槽１２に収納された食器量に適した食器洗い機の工程制御を自動的に行うことができる。
【００６８】
以上のような構成・手順とすることにより、本発明の実施の形態によれば、物体を検知することができる放射式能動型センサからなる物体検知手段を洗浄槽の開口部に設置して、食器を収納する時に開口部が遮られたことを検知することによって、収納された食器の量を正確にカウント、検知することができ、食器洗い機の基本動作である洗浄・すすぎ工程時の各条件である時間、洗剤量、水量、モータの駆動等をその食器量にあった、最適状態にすることができ、食器洗い機の省エネ性、利便性、信頼性を確実に向上させることができるものである。
【００６９】
（実施の形態６）
次に、第６の実施の形態の食器洗い機について説明する。本発明における実施の形態の基本構成に関しては実施の形態１と同様であり、説明は省略するが、特に本発明の構成では、放射式物体検知手段３０として非接触式能動型センサである赤外線光電センサを２個使用している。
【００７０】
図１に示された食器洗い機において、本発明の動作について図面を参照しながら説明する。図８は同実施の形態に係る食器洗い機の処理手順を示すフローチャートを示すものである。以下に本実施の形態におけるフローを説明する。本実施の形態における手順は実施の形態５と同じところは説明を省略する。
【００７１】
まず、図１のような食器洗い機において、洗浄槽１２の開口部上部側面に、放射式物体検知手段３０として赤外線光電センサを２個設置する。この放射式物体検知手段３０から赤外線を発しその反射光を検知することによって物体の存在を検知することができる。この放射式物体検知手段３０の赤外線光電センサから波長１０００ｎｍ程度の赤外光線を定常的に放射して、その反射光を常に検知しておく。
【００７２】
この光電センサは洗浄槽１２の対向位置や周囲からの反射波は検知しないが、洗浄槽１２に食器を投入する時の食器や手からの反射光は検知することができる（ステップＳ２）。この状態で洗浄槽１２の開口部上側から食器類１４を入れて食器ガゴ１３に収納する（ステップＳ３）。この時、この放射式物体検知手段３０の光電センサから発せられた赤外線は、食器カゴ１３に載置するために洗浄槽１２に投入されている食器類１４で反射され、この反射光が光電センサに検知される。この時の２個のセンサからの各センサ出力信号の１例を図９に示す。
【００７３】
右側のセンサから図９（ａ）、左側のセンサから（ｂ）のような出力信号が得られたとすると、まずセンサ信号の時間間隔Ｔｂをそれぞれ測定し、その時間間隔がある所定の時間Ｔより短いと判定すると（ステップＳ２１）、次に得られた信号と同一のものと判断する（ステップＳ２２）。次に、センサ信号の時間間隔Ｔａをそれぞれ測定し、その時間間隔がある所定の時間Ｔより長いと判定すると（ステップＳ２３）、光電センサが洗浄槽１２に投入された食器類１４を検知し食器カゴ１３に収納されたと判断する（ステップＳ２４）。この判定結果によって、洗浄槽１２に収納された食器の量のカウント数を１つ増やすことができる（ステップＳ２５）。
【００７４】
例えば、１０００ｎｍの近赤外線を発しているセンサを用いて、この光電センサを洗浄槽の開口部の上部に両側から等間隔に２個設置して、検知領域を最適化することによって、開口部を物体が遮ると反射光を検知することができるようにする。今所定の時間間隔を１秒として、センサ出力における測定された時間間隔が０．５秒の場合、次のセンサ信号と同一のものであると判断する。また、測定された時間間隔が１．７秒の場合、次のセンサ信号とは別のものであると判断し、１つの食器類が洗浄槽に投入されたと判断する。これらセンサ信号より洗浄槽に収納する食器の数を正確にカウントすることができる。
【００７５】
このような食器検知のシーケンスを繰り返すことによって、最終的に洗浄槽１２に収納された食器１４の総数をカウントすることができる。以下ステップＳ７以降は実施の形態５と同じフローであり説明を省略する。
【００７６】
以上のような構成・手順とすることにより、本発明の実施の形態によれば、物体を検知することができる放射式能動型センサからなる物体検知手段を洗浄槽の開口部に設置して、得られたセンサ信号から時間間隔を測定することによって、収納された食器の量をより正確にカウント、検知することができ、食器洗い機の基本動作である洗浄・すすぎ工程時の各条件である時間、洗剤量、水量、モータの駆動等をその食器量にあった、最適状態にすることができ、食器洗い機の省エネ性、利便性、信頼性を確実に向上させることができるものである。
【００７７】
（実施の形態７）
次に、第７の実施の形態の食器洗い機について図面を参照しながら説明する。以下に本実施の形態における構成を図１と同様に説明する。実施の形態１と同じについては説明を省略する。図１０は本実施の形態で用いる食器洗い機を上面側から見た時の物体検知手段の検知領域を示した模式図を示すものである。
【００７８】
上記洗浄槽１２の開口部上部端に、図１０に示すように、放射式物体検知手段３０が２個設けられている。この放射式物体検知手段３０は光電センサや超音波センサ等の非接触式の能動型センサから成っており、光や超音波・電磁波を発しその反射波を検知することによって物体の存在を検知するものである。センサから発せられた赤外線等は洗浄槽１２の対向位置からの反射は検知しないが、洗浄槽１２に食器を投入する時は食器や手からの反射光を検知することができ、食器が収納されたことがわかるようになっている。
【００７９】
特に、これらセンサの検知領域４０が水平方向に交差した設置位置構成となっていると見かけ上、検知領域４０を広くすることができ、検知時の死角を少なくすることができるので、食器検知の検知精度をより向上させることができる。このように洗浄槽１２の端に放射式物体検知手段３０を設置し、検知領域４０を開口面において対角線状に形成することによって、収納する時の食器をより正確に検知し、信頼性も向上させることができる。
【００８０】
この光電センサからの出力信号を食器洗い機の制御手段に送信して、洗浄槽１２の食器類の収納量に適した各工程の運転を行うことができ、無駄に洗浄やすすぎ、乾燥等を行うことがないので、省エネも実現することができ、このような実施の形態７においても、実施の形態１と同様の作用効果を得ることができる。
【００８１】
以上のような構成とすることにより、本発明の実施の形態によれば、物体を検知することができる放射式能動型センサからなる物体検知手段を洗浄槽の上部端に設置して、開口面に対して対角線状に検知領域を形成し、食器を収納する時に開口部が遮られたことを正確に検知することによって収納された食器量を正確に判定し、食器洗い機の基本動作である洗浄・すすぎ各工程時の条件である時間、洗剤量、水量、モータの駆動等をその食器量にあった、最適状態にすることができ、食器洗い機の省エネ性、利便性、信頼性を確実に向上させることができるものである。
【００８２】
（実施の形態８）
次に、第８の実施の形態の食器洗い機について図面を参照しながら説明する。以下に本実施の形態における構成を図１と同様に説明する。実施の形態１と同じについては説明を省略する。図１１は本実施の形態で用いる食器洗い機を右側から見た時の物体検知手段の検知領域を示した模式図を示すものである。
【００８３】
上記洗浄槽１２の開口部１２ａの上部に、図１１に示すように、放射式物体検知手段３０が複数個設けており、洗浄槽１２の開口面からの距離が異なる位置に設置されている。このような設置位置にすることによって、これらセンサの検知領域４０を見かけ上、広くすることができ、検知時の死角を少なくすることができるので、食器検知の検知精度をより向上させることができる。
【００８４】
このように洗浄槽１２の上部に開口面からの距離が異なる位置に放射式物体検知手段３０を複数個設置することによって、収納する時の食器をより正確に検知し、信頼性も向上させることができる。さらに、放射式物体検知手段３０を洗浄槽１２の端に設置することによって、検知領域４０を開口面において対角線状に形成してもよい。
【００８５】
図１１に示された食器洗い機において、本発明の動作について図面を参照しながら説明する。図１２は同実施の形態に係る食器洗い機の処理手順を示すフローチャートを示すものである。以下に本実施の形態におけるフローを説明する。本実施の形態における手順は実施の形態７と同じところは説明を省略する。
【００８６】
まず、図１１のような食器洗い機において、洗浄槽１２の開口部上部端に、放射式物体検知手段３０として赤外線光電センサを、洗浄槽１２の開口面からの距離が異なる位置に２個設置し、この検知領域を開口面において対角線状に構成する。この放射式物体検知手段３０から赤外線を発しその反射光を検知することによって物体の存在を検知することができる。
【００８７】
食器投入時、この放射式物体検知手段３０の光電センサから発せられた赤外線は、食器カゴ１３に載置するために洗浄槽１２に投入されている食器類１４で反射され、この反射光が光電センサに検知される。この時の２個のセンサからの各センサ出力信号と判定結果の１例を図１３に示す。上側のセンサから図１３（ａ）、下側のセンサから（ｂ）のような出力信号が得られたとする。まずこれら２個の放射式物体検知手段からそれぞれどちらのセンサから出力が得られているか判定する（ステップＳ５１）。どちらかのセンサから出力信号が出ている場合、実施の形態７と同じように、センサ出力の時間間隔を測定し、同一のものと判定できるものは１つの出力信号とする（ステップＳ５２）。
【００８８】
その後、所定の時間間隔以上の時間が経過してセンサ信号の出力が得られないと（ステップＳ５３）、今まで得られた信号から食器量を判断する。この時、他のセンサからも同時に出力された信号は１つとして判定し、２個の光電センサが洗浄槽１２に投入された食器類１４を同時に検知したと判断する（ステップＳ５４）。この判定結果によって、洗浄槽１２に収納された食器の量のカウント数を１つ増やすことができる（ステップＳ５５）。このようなフローにより、図１３（ａ）、（ｂ）のセンサ出力から図１３（ｃ）のような判定結果を得ることができる。
【００８９】
例えば、波長１０００ｎｍの近赤外線を発しているセンサを用いて、この光電センサを洗浄槽の開口部の上部端に２個設置し、検知領域が開口面に対して対角線状に交差するように設置する。さらに、洗浄槽の開口面からの距離がそれぞれ１ｃｍ、３ｃｍと異なるような位置に設置し、開口部を物体が遮ると反射光を検知することができるようにする。この時、上または下に設置されたどちらかのセンサから出力が得られた場合は１つの食器が投入されたと判断し、上と下のセンサから同時に出力が得られた場合は１つの食器が洗浄槽に投入されたと判断する。これらセンサ信号より洗浄槽に収納する食器の数を正確にカウントすることができる。このような食器検知のシーケンスを繰り返すことによって、最終的に洗浄槽１２に収納された食器１４の総数をカウントすることができる。以下ステップＳ７以降は実施の形態７と同じフローであり説明を省略する。
【００９０】
以上のような構成・手順とすることにより、本発明の実施の形態によれば、物体を検知することができる放射式能動型センサからなる物体検知手段を洗浄槽の開口部に複数個設置し、洗浄槽の開口面からの距離が異なる位置に設置して、得られたセンサ信号から同時出力は同一物であると判定することによって、収納された食器の量をより正確にカウント、検知することができ、食器洗い機の基本動作である洗浄・すすぎ工程時の各条件である時間、洗剤量、水量、モータの駆動等をその食器量にあった、最適状態にすることができ、食器洗い機の省エネ性、利便性、信頼性を確実に向上させることができるものである。
【００９１】
また、これらの食器洗い機の制御手段で上記運転方法を行うためには、ＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したり、インターネットなどの通信回線を用いて配信することで新しい機能の配布・更新やそのインストール作業が簡単にできる。
【産業上の利用可能性】
【００９２】
以上のように、本発明は、物体を検知することができる非接触式能動型センサからなるセンサを洗浄槽の開口部に設置して、食器を収納する時に検知することによって、収納された食器の量を正確にカウント、検知することができ、その食器量にあわせて食器洗い機の基本動作である洗浄・すすぎ工程時の各条件である時間、洗剤量、水量、モータの駆動等を最適状態にすることができ、食器洗い機の省エネ性、信頼性を確実に向上させることができ、家庭用の食器洗い機に対しても有用である。また、家庭用に限らずオフィスや工場等の業務用などにおいても利用可能である。
【図面の簡単な説明】
【００９３】
【図１】本発明の第１の実施の形態の食器洗い機を前後方向に沿った鉛直面で切断したときの断面を右側から見た模式図
【図２】同食器洗い機を上面側から見た模式図
【図３】同食器洗い機を上面側から見た時の物体検知手段の検知領域を示した模式図
【図４】本発明の第２の実施の形態の食器洗い機を側面側から見た時の物体検知手段の検知領域を示した模式図
【図５】本発明の第３の実施の形態の食器洗い機を前後方向に沿った鉛直面で切断したときの断面を左側から見て物体検知手段の検知領域を示した模式図
【図６】本発明の第４の実施の形態の食器洗い機の処理手順を示すフローチャート
【図７】本発明の第５の実施の形態の食器洗い機の処理手順を示すフローチャート
【図８】本発明の第６の実施の形態の食器洗い機の処理手順を示すフローチャート
【図９】同食器洗い機の物体検知手段からのセンサ出力信号を示す図
【図１０】本発明の第７の実施の形態の食器洗い機を上面側から見た時の物体検知手段の検知領域を示した模式図
【図１１】本発明の第８の実施の形態の食器洗い機を右側から見た時の物体検知手段の検知領域を示した模式図
【図１２】同食器洗い機の処理手順を示すフローチャート
【図１３】同食器洗い機の物体検知手段からのセンサ出力信号と判定結果を示す図
【符号の説明】
【００９４】
１２  洗浄槽
１２ａ  開口部
１３  食器カゴ
１４  食器
１５  洗浄ノズル
２１  判定手段
２２  制御手段
２５  蓋部
３０  放射式物体検知手段
４０  検知領域
【図１】
2008119152.tif 000003
【図２】
2008119152.tif 000004
【図３】
2008119152.tif 000005
【図４】
2008119152.tif 000006
【図５】
2008119152.tif 000007
【図６】
2008119152.tif 000008
【図７】
2008119152.tif 000009
【図８】
2008119152.tif 000010
【図９】
2008119152.tif 000011
【図１０】
2008119152.tif 000012
【図１１】
2008119152.tif 000013
【図１２】
2008119152.tif 000014
【図１３】
2008119152.tif 000015